(57)【要約】【課題】  タグ情報を登録する手間を軽減することが可能となる決定システム、及び決定プログラムを提供すること。【解決手段】  ユーザのコンテンツに登録するタグ情報の候補に関する出力態様を決定する端末装置２であって、タグ情報を格納するタグ関連情報ＤＢ２７２と、タグ関連情報ＤＢ２７２が格納しているタグ情報の取得の経緯に関する情報を取得する取得部２８１と、タグ情報の取得の経緯に関する基準である経緯基準と、取得部２８１が取得した経緯に関する情報とに基づいて、タグ関連情報ＤＢ２７２が格納しているタグ情報の出力態様を決定する決定部２８２と、を備え、経緯基準は、ユーザが過去に登録したタグ情報であるか否かに関する第１基準を含んでおり、決定部２８２は、第１基準と、取得部２８１が取得した経緯に関する情報とに基づいて、タグ関連情報ＤＢ２７２が格納しているタグ情報の出力態様を決定する。【選択図】図２
2020017055.tif 000002
【特許請求の範囲】
【請求項１】
ユーザのコンテンツに登録するタグ情報の候補に関する出力態様を決定する決定システムであって、
タグ情報を格納する格納手段と、
前記格納手段が格納しているタグ情報の取得の経緯に関する情報を取得する取得手段と、
タグ情報の取得の経緯に関する基準である経緯基準と、前記取得手段が取得した経緯に関する情報とに基づいて、前記格納手段が格納しているタグ情報の前記出力態様を決定する決定手段と、
を備える決定システム。
【請求項２】
前記経緯基準は、前記ユーザが過去に登録したタグ情報であるか否かに関する第１基準を含んでおり、
前記決定手段は、前記第１基準と、前記取得手段が取得した経緯に関する情報とに基づいて、前記格納手段が格納しているタグ情報の前記出力態様を決定する、
請求項１に記載の決定システム。
【請求項３】
前記経緯基準は、他のユーザのコンテンツであって前記ユーザが過去に興味を抱いた前記他のユーザのコンテンツに対応付けられたタグ情報であるか否かに関する第２基準を含んでおり、
前記決定手段は、前記第２基準と、前記取得手段が取得した経緯に関する情報とに基づいて、前記格納手段が格納しているタグ情報の前記出力態様を決定する、
請求項１又は２に記載の決定システム。
【請求項４】
前記経緯基準は、前記ユーザが取得したコンテンツに対応付けられたタグ情報であるか否かに関する第３基準を含んでおり、
前記決定手段は、前記第３基準と、前記取得手段が取得した経緯に関する情報とに基づいて、前記格納手段が格納しているタグ情報の前記出力態様を決定する、
請求項１から３の何れか一項に記載の決定システム。
【請求項５】
前記決定手段は、前記経緯基準と、前記取得手段が取得した経緯に関する情報とに基づいて、前記格納手段が格納しているタグ情報の優先度を特定し、当該優先度に対応する前記出力態様を決定する、
請求項１から４の何れか一項に記載の決定システム。
【請求項６】
ユーザのコンテンツに登録するタグ情報の候補に関する出力態様を決定する決定プログラムであって、
コンピュータを、
タグ情報を格納する格納手段が格納しているタグ情報の取得の経緯に関する情報を取得する取得手段と、
タグ情報の取得の経緯に関する基準である経緯基準と、前記取得手段が取得した経緯に関する情報とに基づいて、前記格納手段が格納しているタグ情報の前記出力態様を決定する決定手段と、
として機能させる決定プログラム。
【発明の詳細な説明】
【技術分野】
【０００１】
本発明は、決定システム、及び決定プログラムに関する。
【背景技術】
【０００２】
従来、ネットワークを介して、ユーザ間においてコンテンツを共有させるサービスを提供する技術が知られていた（例えば、特許文献１）。この技術においては、コンテンツに対応付けるタグ情報を、過去に登録されたタグ情報からユーザに選択させ、ユーザによって選択されたタグ情報を当該コンテンツに対応付けた上で、サービスを提供していた。
【先行技術文献】
【特許文献】
【０００３】
【特許文献１】特開２０１５−０７６０８９号公報
【発明の概要】
【発明が解決しようとする課題】
【０００４】
しかしながら、特許文献１の技術においては、ユーザに選択させるタグ情報が、過去に登録されたタグ情報に限られていたので、登録したことのないタグ情報をユーザが登録する場合、新たにタグ情報を生成する必要があり、手間となってしまう可能性があった。
【０００５】
本発明は、上記に鑑みてなされたものであって、タグ情報を登録する手間を軽減することが可能となる決定システム、及び決定プログラムを提供することを目的とする。
【課題を解決するための手段】
【０００６】
上述した課題を解決し、目的を達成するために、本発明に係る決定システムは、ユーザのコンテンツに登録するタグ情報の候補に関する出力態様を決定する決定システムであって、タグ情報を格納する格納手段と、前記格納手段が格納しているタグ情報の取得の経緯に関する情報を取得する取得手段と、タグ情報の取得の経緯に関する基準である経緯基準と、前記取得手段が取得した経緯に関する情報とに基づいて、前記格納手段が格納しているタグ情報の前記出力態様を決定する決定手段と、を備える。
【０００７】
また、本発明に係る決定プログラムは、ユーザのコンテンツに登録するタグ情報の候補に関する出力態様を決定する決定プログラムであって、コンピュータを、タグ情報を格納する格納手段が格納しているタグ情報の取得の経緯に関する情報を取得する取得手段と、タグ情報の取得の経緯に関する基準である経緯基準と、前記取得手段が取得した経緯に関する情報とに基づいて、前記格納手段が格納しているタグ情報の前記出力態様を決定する決定手段と、として機能させる。
【発明の効果】
【０００８】
本発明に係る決定システムによれば、タグ情報の取得の経緯に関する基準である経緯基準と取得手段が取得した経緯に関する情報とに基づいて、タグ情報の出力態様を決定することにより、例えば、様々な取得の経緯を有するタグ情報を出力することができるので、ユーザがタグ情報を自己で生成すること無く選択して利用することができ、タグ情報を登録する手間を軽減することが可能となる。
【０００９】
本発明に係る決定プログラムによれば、タグ情報の取得の経緯に関する基準である経緯基準と取得手段が取得した経緯に関する情報とに基づいて、タグ情報の出力態様を決定することにより、例えば、様々な取得の経緯を有するタグ情報を出力することができるので、ユーザがタグ情報を自己で生成すること無く選択して利用することができ、タグ情報を登録する手間を軽減することが可能となる。
【図面の簡単な説明】
【００１０】
【図１】本発明の実施の形態に係る情報システムを例示するブロック図である。
【図２】端末装置を例示するブロック図である。
【図３】コンテンツ情報を例示した図である。
【図４】タグ関連情報を例示した図である。
【図５】登録処理のフローチャートである。
【図６】優先度特定処理のフローチャートである。
【図７】端末装置のディスプレイの表示例を示す図である。
【発明を実施するための形態】
【００１１】
以下、本発明に係る決定システム、及び決定プログラムの実施の形態について図面を参照しつつ詳細に説明する。ただし、実施の形態によって本発明が限定されるものではない。
【００１２】
本発明に係る決定システムは、ユーザのコンテンツに登録するタグ情報の候補に関する出力態様を決定するシステムであり、例えば、出力態様を決定する専用システム、あるいは、汎用的に用いられるコンピュータ（一例としては、ナビゲーションシステム、パーソナルコンピュータ、スマートフォン等の如き端末装置等）に対して出力態様を決定する機能を実装することにより実現されるシステム等を含む概念である。また、決定システムは、例えば、格納手段、取得手段、及び決定手段を備える。
【００１３】
ここで、「コンテンツ」とは、ユーザに関連する情報であり、具体的には、自身で用いる情報、あるいは、他人と共有する情報等を含む概念であり、例えば、ユーザが行う又は行いたい行動に関連する情報、当該行動に関連する情報（計画の情報、合流のための情報、現地の情報等）、あるいは、これら以外の任意の情報を含む概念である。
【００１４】
また、「タグ情報」とは、コンテンツに関連する情報であり、具体的には、コンテンツの少なくとも一部として当該コンテンツに含まれる情報、あるいは、コンテンツに対応付けられる情報等を含む概念であり、例えば、コンテンツの目印として機能する情報等を含む概念であり、一例としては、コンテンツを検索又は並び替えする場合に利用される情報等を含む概念である。
【００１５】
また、「出力態様」とは、ユーザのコンテンツに登録する候補としてのタグ情報の出力のありさまであり、具体的には、表示出力のありさま、及び音声出力のありさま等を含む概念であり、例えば、表示するか否か、表示サイズ、表示位置、表示順序、表示色、点滅表示、及び強調表示等を含む概念であり、また、音声出力するか否か、音声出力順序、及び音声ボリューム等を含む概念である。
【００１６】
また、「格納手段」とは、タグ情報を格納する手段であり、例えば、データベース、あるいは、ＲＡＭ、又はＲＯＭ等のメモリ等を含む概念である。
【００１７】
また、「取得手段」とは、格納手段が格納しているタグ情報の取得の経緯に関する情報を取得する手段である。「タグ情報の取得の経緯」とは、例えば、格納手段に格納するために取得したタグ情報の当該取得に関する事情等を含む概念であり、一例としては、ユーザが過去に登録したタグ情報を取得したという経緯（以下、「自己登録経緯」）、他のユーザのコンテンツであってユーザが過去に興味を抱いた他のユーザのコンテンツに対応付けられたタグ情報を取得したという経緯（以下、「興味経緯」）、ユーザが取得したコンテンツに対応付けられたタグ情報を取得したという経緯（以下、「コンテンツ経緯」）等を含む概念である。なお、「ユーザが取得したコンテンツに対応付けられたタグ情報」とは、例えば、ユーザが任意の装置（端末装置等）を用いて取得（閲覧）したインターネット（ネットワーク）上の情報に対応付けられているタグ情報等を含む概念であり、一例としては、少なくとも、インターネットのサイト運営者側の事情を反映したタグ情報等を含む概念である。
【００１８】
また、「決定手段」とは、タグ情報の取得の経緯に関する基準である経緯基準と、取得手段が取得した経緯に関する情報とに基づいて、格納手段が格納しているタグ情報の出力態様を決定する手段であり、例えば、第１基準と、取得手段が取得した経緯に関する情報とに基づいて、格納手段が格納しているタグ情報の出力態様を決定する手段を含む概念であり、また、第２基準と、取得手段が取得した経緯に関する情報とに基づいて、格納手段が格納しているタグ情報の出力態様を決定する手段を含む概念であり、また、第３基準と、取得手段が取得した経緯に関する情報とに基づいて、格納手段が格納しているタグ情報の出力態様を決定する手段を含む概念であり、また、経緯基準と、取得手段が取得した経緯に関する情報とに基づいて、格納手段が格納しているタグ情報の優先度を特定し、当該優先度に対応する出力態様を決定する手段を含む概念である。
【００１９】
また、「経緯基準」とは、タグ情報の取得の経緯に関する基準であり、例えば、ユーザが過去に登録したタグ情報であるか否かに関する第１基準、他のユーザのコンテンツであってユーザが過去に興味を抱いた他のユーザのコンテンツに対応付けられたタグ情報であるか否かに関する第２基準、及びユーザが取得したコンテンツに対応付けられたタグ情報であるか否かに関する第３基準等を含む概念である。
【００２０】
また、「優先度」とは、優先の度合いであり、具体的には、他に先んずる度合いであり、例えば、複数段階に分けられているものである。
【００２１】
そして、以下に示す実施の形態では、タグ情報を表示出力する場合を例示して説明する。また、「優先度」が４段階に分けられており、例えば、優先度が高い方から低い方に向かって、優先度１、優先度２、優先度３、優先度４に分けられている場合を例示して説明する。
【００２２】
（構成）
まず、本実施の形態に係る情報システム１００について説明する。図１は、本発明の実施の形態に係る情報システムを例示するブロック図であり、図２は、端末装置を例示するブロック図である。情報システム１００は、決定システムを含むシステムであり、具体的には、コンテンツを共有するシステムであり、例えば、サーバ装置１、及び端末装置２を備える。なお、実際には、情報システム１００には、端末装置２が多数設けられているが、ここでは、説明の便宜上、２個の端末装置２として端末装置２０１、２０２を図示して説明する。なお、これらの端末装置２０１、２０２については、相互に区別する必要がない場合には、端末装置２と総称して説明する。
【００２３】
（構成−サーバ装置）
サーバ装置１は、例えば、図１に示すように、通信部１１、データ記録部１２、及び制御部１３を備える。
【００２４】
（構成−サーバ装置−通信部）
通信部１１は、ネットワーク（図示省略）を介して外部装置（例えば、端末装置２等）との間で通信するための通信手段である。この通信部１１の具体的な種類や構成は任意であるが、例えば、公知の有線又は無線通信回路等を備えて構成することができる。
【００２５】
（構成−サーバ装置−データ記録部）
データ記録部１２は、サーバ装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２６】
また、このデータ記録部１２は、地図情報データベース（以下、データベースを「ＤＢ」と称する）１２１、及びコンテンツ情報ＤＢ１２２を備える。
【００２７】
（構成−サーバ装置−データ記録部−地図情報ＤＢ）
地図情報ＤＢ１２１は、地図情報を格納する地図情報格納手段である。ここで、「地図情報」とは、ユーザに対して地図を提示するための情報であり、具体的には、道路、道路の交差点、道路構造物、施設等を含む各種の位置の特定に必要な情報であり、例えば、道路上に設定された各ノードに関するノードデータ（例えばノードＩＤ、座標等）や、道路上に設定された各リンクに関するリンクデータ（例えばリンクＩＤ（なお、リンクＩＤは地図情報の位置を特定する座標に関連付けられている）、リンク名、接続ノードＩＤ、道路座標、道路種別（例えば、細街路、一般道路、主要国道、及び高速道路等）、道路幅、道路に設けられている車線数、道路に設けられている各車線を一意に識別する車線ＩＤ、道路の進行方向等）、地物データ（例えば信号機、道路標識、ガードレール、施設等）、地形データ等を含んで構成されている。そして、このような地図情報ＤＢ１２１の地図情報については、任意の手法で記録されるが、例えば、所定の記録媒体を介して入力することにより記録されたり、不図示の配信センターから配信された情報を受信することにより記録されたりする（後述する地図情報ＤＢ２７１の地図情報も同様とする）。
【００２８】
（構成−サーバ装置−データ記録部−コンテンツ情報ＤＢ）
コンテンツ情報ＤＢ１２２は、コンテンツ情報を格納するコンテンツ情報格納手段である。ここで、「コンテンツ情報」とは、コンテンツを特定する情報である。図３は、コンテンツ情報を例示した図である。なお、図３における「・・・」については、実際には情報が格納されているが、説明の便宜上、図示を省略していることを表している（他の各図も同様とする）。この図３に示すように、コンテンツ情報は、例えば、項目「コンテンツＩＤ」、項目「共有元情報」、項目「共有先情報」、項目「テキスト情報」、項目「画像情報」、項目「タグ情報」、及び項目「位置情報」と、各項目に対応する情報とを相互に関連付けて格納している。項目「コンテンツＩＤ」に対応する情報は、コンテンツを一意に識別すコンテンツ識別情報（以下、識別情報を「ＩＤ」と称する）である（図３では、「ＩＤｃ００１」等）。項目「共有元情報」に対応する情報は、コンテンツの共有元である登録者を特定する共有元情報である。この共有元情報としては、端末装置２のユーザを特定する任意の情報を格納することができるが、例えば、各ユーザのＩＤであるユーザＩＤを格納する場合について例示する。図３では、端末装置２０１のユーザのユーザＩＤである「ＩＤｕ１」、及び端末装置２０２のユーザのユーザＩＤである「ＩＤｕ２」等である。項目「共有先情報」に対応する情報は、コンテンツの共有先となるユーザを特定する共有先情報である（図３では、前述のユーザＩＤである「ＩＤｕ２」、及び全てのユーザを特定する「全員」等）。項目「テキスト情報」に対応する情報は、テキストを特定するテキスト情報である（図３では、「近日中に購入予定」等）。項目「画像情報」に対応する情報は、画像を特定する画像情報である（図３では、画像ファイルであり「Ｆｉｌｅ００１−ｊｐｇ」等）。項目「タグ情報」に対応する情報は、前述のタグ情報である（図３では、記号又は文字の情報であり「＃Ｗｅａｒ」等）。項目「位置情報」に対応する情報は、地図上の位置を特定する位置情報である（図３では、コンテンツ情報に関連する場所としてユーザが指定した位置等であり、地図情報ＤＢ１２１の地図情報が特定する地図上の座標であり「（ｘ１，ｙ１）」等）。なお、この座標である「（ｘ１，ｙ１）」等については、便宜上の記載であることとする。そして、このようなコンテンツ情報ＤＢ１２２のコンテンツ情報については、任意の手法で記録されるが、例えば、後述する登録処理を実行することにより格納される。
【００２９】
（構成−サーバ装置−制御部）
制御部１３は、サーバ装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（端末装置２の制御部２８も同様とする）。特に、実施の形態に係るプログラムは、任意の記録媒体又はネットワークを介してサーバ装置１にインストールされることで、制御部１３の各部を実質的に構成する（端末装置２の制御部２８も同様とする）。なお、制御部１３の各部により行われる処理については、後述する。
【００３０】
（構成‐端末装置）
端末装置２は、決定システムであって、携帯端末であり、例えば、図２に示すように、通信部２１、タッチパッド２２、ディスプレイ２３、位置検出部２４、カメラ２５、スピーカ２６、データ記録部２７、及び制御部２８を備える。
【００３１】
（構成‐端末装置‐通信部）
通信部２１は、ネットワーク（図示省略）を介して外部装置（例えば、サーバ装置１又はインターネット上の他の任意のサーバ装置等）との間で通信するための通信手段である。この通信部２１の具体的な構成は任意であるが、例えば、サーバ装置１の通信部１１と同様にして構成することができる。
【００３２】
（構成‐端末装置‐タッチパッド）
タッチパッド２２は、ユーザの指等で押圧されることにより、当該ユーザから各種操作入力を受け付ける操作手段である。このタッチパッド２２の具体的な構成は任意であるが、例えば、抵抗膜方式や静電容量方式等による操作位置検出手段を備えた公知のものを用いることができる。
【００３３】
（構成‐端末装置‐ディスプレイ）
ディスプレイ２３は、制御部２８の制御に基づいて各種の画像を表示する画像表示手段である。このディスプレイ２３の具体的な構成は任意であるが、例えば、公知の液晶ディスプレイや有機ＥＬディスプレイの如きフラットパネルディスプレイ等を用いることができる。なお、上記のタッチパッド２２とディスプレイ２３とをタッチパネルとして一体形成しても構わない。
【００３４】
（構成‐端末装置‐位置検出部）
位置検出部２４は、端末装置２の現在位置（例えば、地図上の座標）を取得する現在位置取得手段である。この位置検出部２４の具体的な構成は任意であるが、例えば、ＧＰＳやジャイロセンサ（方位を測定する手段）、距離センサ（いずれも図示省略）を有し、現在の端末装置２の位置（座標）及び方位等を公知の方法にて検出する。
【００３５】
（構成‐端末装置‐カメラ）
カメラ２５は、撮像を行って画像を取得する撮像手段である。このカメラ２５が撮像した画像は制御部２８に入力されて、データ記録部２７に適宜記録される。カメラ２５の具体的な構成は任意で、例えばＣＭＯＳイメージセンサやＣＣＤイメージセンサ等の公知の撮像素子、及び魚眼レンズやプリズム等の公知の光学系部品を用いて構成されている。
【００３６】
（構成‐端末装置‐スピーカ）
スピーカ２６は、音声を出力する音声出力手段である。このスピーカ２６の具体的な構成は任意で、例えば、振動板やコイル等を備えて構成されている。
【００３７】
（構成‐端末装置‐データ記録部）
データ記録部２７は、端末装置２の動作に必要なプログラム及び各種のデータを記録する記録手段であり、例えば、地図情報ＤＢ２７１、及びタグ関連情報ＤＢ２７２を備える。
【００３８】
（構成−端末装置−データ記録部−地図情報ＤＢ）
地図情報ＤＢ２７１は、地図情報を格納する地図情報格納手段であり、例えば、サーバ装置１の地図情報ＤＢ１２１と同様にして構成することができる。
【００３９】
（構成−サーバ装置−データ記録部−タグ関連情報ＤＢ）
タグ関連情報ＤＢ２７２は、タグ関連情報を格納するタグ関連情報格納手段であり、また、タグ情報を格納する格納手段である。ここで、「タグ関連情報」とは、タグ情報に関連する情報である。図４は、タグ関連情報を例示した図である。この図４に示すように、タグ関連情報は、例えば、項目「タグ情報」、及び項目「経緯情報」と、各項目に対応する情報とを相互に関連付けて格納している。なお、項目「タグ情報」に対応する情報は、図３の同一名称の情報と同様である。項目「経緯情報」に対応する情報は、タグ情報の取得の経緯を特定する経緯情報である（図４では、前述の「自己登録経緯」に対応する「自身」、前述の「興味経緯」に対応する「興味」、「コンテンツ経緯」に対応する「外部」、及び「自身」、「興味」、及び「外部」以外（例えば、他のユーザのコンテンツであってユーザが過去に興味を抱かなかったタグ情報を取得した経緯）に対応する「その他」）。
【００４０】
そして、このようなタグ関連情報ＤＢ２７２のタグ関連情報については、任意の手法で記録されるが、例えば、ユーザが自己の端末装置２のタッチパッド２２を介する所定操作により、自己のコンテンツにタグ情報を登録する場合に、端末装置２の制御部２８が、当該登録したタグ情報を取得し、当該取得したタグ情報と「経緯情報」＝「自身」とを相互に関連付けて格納する。
【００４１】
また、例えば、ユーザが自己の端末装置２のタッチパッド２２を介する所定操作により、サーバ装置１との間の通信を介して、図３のコンテンツ情報における他人のコンテンツ（つまり、共有元情報が自己のユーザＩＤ以外のユーザＩＤが格納されており、且つ、共有先に自己に指定されているコンテンツ）をディスプレイ２３に表示して閲覧した上で、タッチパッド２２を介する所定操作によりディスプレイ２３に表示されている「いいね」ボタンを、タッチパッド２２を介してタップし場合に、端末装置２の制御部２８が、図３のコンテンツ情報において、当該タップした「いいね」ボタンに対応するコンテンツに対応付けられているタグ情報を取得し、当該取得したタグ情報と「経緯情報」＝「興味」とを相互に関連付けて格納する。なお、「いいね」ボタンとは、コンテンツに対して興味を抱いたことを示すボタンであり、例えば、コンテンツ毎に対応付けられた状態で設けられているボタン画像である。なお、「図３のコンテンツ情報における他人のコンテンツ」を表示するためは、任意の手法にて自己のコンテンツと他人のコンテンツを相互に識別する必要があるが、例えば、ユーザが端末装置２にログインする場合にユーザＩＤを入力するように構成した上で、制御部２８が、この入力されたユーザＩＤと図３の共有元情報のユーザＩＤとを相互に比較し、これらが合致する場合には、自身のコンテンツであるものと判定し、合致しない場合には、他人のコンテンツであるものと判定するように構成した上で、この判定結果を利用して識別するように構成してもよい。
【００４２】
また、例えば、ユーザが自己の端末装置２のタッチパッド２２を介する所定操作により、ユーザがインターネット上の情報（タグ情報が対応付けられている情報）を閲覧して当該閲覧した情報をダウンロードした場合、端末装置２の制御部２８が、当該ダウンロードした情報に対応付けられているタグ情報を取得し、当該取得したタグ情報と「経緯情報」＝「外部」とを相互に関連付けて格納する。
【００４３】
また、例えば、一定時間毎（例えば、１０時間毎〜２４時間毎等）のタイミング、あるいは、ユーザが指定したタイミングで、端末装置２の制御部２８が、サーバ装置１との間の通信を介して、図３の共有元情報が他人となるコンテンツのタグ情報を取得し、当該取得したタグ情報と「経緯情報」＝「その他」とを相互に関連付けて格納する。このようにして、図４のタグ関連情報が格納される。
【００４４】
（構成−端末装置−制御部）
制御部２８は、端末装置２を制御する制御手段である。制御部２８は、例えば、機能概念的に、取得部２８１、及び決定部２８２を備える。取得部２８１は、タグ関連情報ＤＢ２７２が格納しているタグ情報の取得の経緯に関する情報を取得する取得手段である。決定部２８２は、タグ情報の取得の経緯に関する基準である経緯基準と、取得部２８１が取得した経緯に関する情報とに基づいて、格納手段が格納しているタグ情報の出力態様を決定する決定手段である。なお、この制御部２８の各部により行われる処理については、後述する。
【００４５】
（処理）
次に、このように構成される情報システム１００によって実行される登録処理について説明する。図５は、登録処理のフローチャートである（以下の各処理の説明ではステップを「Ｓ」と略記する）。登録処理は、概略的には、端末装置２にて行われる処理であり、具体的には、コンテンツを生成し、生成したコンテンツにタグ情報を登録した上で、当該コンテンツをサーバ装置１に登録する処理である。この登録処理を実行するタイミングは任意であるが、例えば、端末装置２のタッチパッド２２を介する所定操作を受け付けた場合に、起動されて実行を開始することとして、実行を開始したところから説明する。ここでは、例えば、端末装置２０１のユーザが自己のユーザＩＤである「ＩＤｕ１」を入力してログインした上で、ログイン後にコンテンツを生成して登録する場合を、適宜例示して説明する。
【００４６】
図５のＳＡ１において制御部２８は、コンテンツ情報を生成する。具体的には任意であるが、例えば、ユーザがタッチパッド２２を介する所定操作により、図３のコンテンツ情報のうちの共有先情報、テキスト情報、画像情報、及び位置情報を適宜入力することとし、当該入力された各情報を取得し、取得した情報に基づいて図３のコンテンツ情報のうちの共有先情報、テキスト情報、画像情報、及び位置情報を生成する。また、ログイン時にユーザが入力したユーザＩＤを取得し、取得したユーザＩＤに対応する共有元情報を生成して、また、任意のコンテンツＩＤを生成して、これらの情報を、前述の生成した各情報に対応付けることにより、コンテンツ情報の一部を生成する。なお、コンテンツＩＤについては、後述のようにサーバ装置１側に送信して登録した場合に一意となるように、端末装置２の端末ＩＤを含めて生成してもよい。
【００４７】
図５のＳＡ２において制御部２８は、優先度特定処理を実行する。「優先度特定処理」とは、各タグ情報をユーザに登録させるタグ情報の候補として表示する場合の優先度を特定する処理である。図６は、優先度特定処理のフローチャートである。図６のＳＢ１において制御部２８は、タグ情報を選択する。具体的には任意であるが、例えば、図４のタグ関連情報における未だ選択されていない１個のタグ情報を選択する。ここでは、例えば、「タグ情報」＝「＃Ｗｅａｒ」を選択する。
【００４８】
図６のＳＢ２において制御部２８は、前述の第１基準（経緯基準）に関する判定を行う。具体的には任意であるが、ＳＢ１で選択したタグ情報が、ユーザが過去に登録したタグ情報であるか否かを判定する。詳細には、まず、取得部２８１が、図４のタグ関連情報において、ＳＢ１で選択したタグ情報に対応する経緯情報を取得し、次に、決定部２８２が、当該取得した経緯情報に基づいて判定する。より詳細には、取得した経緯情報が「自身」でない場合、ＳＢ１で選択したタグ情報がユーザが過去に登録したタグ情報でないものと判定し（ＳＢ２のＮＯ）、ＳＢ５に移行する。また、取得した経緯情報が「自身」である場合、ＳＢ１で選択したタグ情報がユーザが過去に登録したタグ情報であるものと判定し（ＳＢ２のＹＥＳ）、ＳＢ３に移行する。ここでは、例えば、ＳＢ１において「タグ情報」＝「＃Ｗｅａｒ」を取得した場合、図４のタグ関連情報において、「＃Ｗｅａｒ」に対応する経緯情報として「自身」が格納されているので、ＳＢ１で選択したタグ情報がユーザが過去に登録したタグ情報であるものと判定する。
【００４９】
図６のＳＢ３において決定部２８２は、優先度を特定する。具体的には任意であるが、例えば、ＳＢ１で選択したタグ情報の優先度として「優先度１」を特定する。ここでは、例えば、図４の「タグ情報」＝「＃Ｗｅａｒ」の優先度として「優先度１」を特定する。
【００５０】
図６のＳＢ４において制御部２８は、処理を終了するか否かを判定する。具体的には任意であるが、例えば、図４のタグ関連情報のタグ情報がＳＢ１で全て選択されたか否かに基づいて判定する。そして、全て選択された場合、処理を終了するものと判定し（ＳＢ４のＹＥＳ）、優先度特定処理をリターンする。また、全て選択されたわけではない場合（未だ選択されていないタグ情報が存在する場合）、処理を終了しないものと判定し（ＳＢ４のＮＯ）、ＳＢ１に移行し、再度ＳＢ１移行の処理を行うことになる。ここでは、例えば、図４の「タグ情報」＝「＃Ｗｅａｒ」以外は未だ選択されていないので、処理を終了しないものと判定する。
【００５１】
一方、図６のＳＢ２の判定において、ＳＢ１で選択したタグ情報がユーザが過去に登録したタグ情報でないものと判定した（ＳＢ２のＮＯ）後のＳＢ５において制御部２８は、前述の第２基準（経緯基準）に関する判定を行う。具体的には任意であるが、ＳＢ１で選択したタグ情報が、他のユーザのコンテンツであってユーザが過去に興味を抱いた他のユーザのコンテンツに対応付けられたタグ情報であるか否かを判定する。詳細には、まず、取得部２８１が、図４のタグ関連情報において、ＳＢ１で選択したタグ情報に対応する経緯情報を取得し、次に、決定部２８２が、当該取得した経緯情報に基づいて判定する。より詳細には、取得した経緯情報が「興味」でない場合、ＳＢ１で選択したタグ情報が他のユーザのコンテンツに対応付けられたタグ情報でないものと判定し（ＳＢ５のＮＯ）、ＳＢ７に移行する。また、取得した経緯情報が「興味」である場合、ＳＢ１で選択したタグ情報が他のユーザのコンテンツに対応付けられたタグ情報であるものと判定し（ＳＢ５のＹＥＳ）、ＳＢ６に移行する。
【００５２】
図６のＳＢ６において決定部２８２は、優先度を特定する。具体的には任意であるが、例えば、ＳＢ１で選択したタグ情報の優先度として「優先度２」を特定する。
【００５３】
一方、図６のＳＢ５の判定において、ＳＢ１で選択したタグ情報が他のユーザのコンテンツに対応付けられたタグ情報でないものと判定した（ＳＢ５のＮＯ）後のＳＢ７において制御部２８は、前述の第３基準（経緯基準）に関する判定を行う。具体的には任意であるが、ＳＢ１で選択したタグ情報が、ユーザが取得したコンテンツに対応付けられたタグ情報であるか否かを判定する。詳細には、まず、取得部２８１が、図４のタグ関連情報において、ＳＢ１で選択したタグ情報に対応する経緯情報を取得し、次に、決定部２８２が、当該取得した経緯情報に基づいて判定する。より詳細には、取得した経緯情報が「外部」でない場合、ユーザが取得したコンテンツに対応付けられたタグ情報でないものと判定し（ＳＢ７のＮＯ）、ＳＢ９に移行する。また、取得した経緯情報が「外部」である場合、ＳＢ１で選択したタグ情報がユーザが取得したコンテンツに対応付けられたタグ情報であるものと判定し（ＳＢ７のＹＥＳ）、ＳＢ８に移行する。
【００５４】
図６のＳＢ８及びＳＢ９において決定部２８２は、優先度を特定する。具体的には任意であるが、例えば、ＳＢ８においては、ＳＢ１で選択したタグ情報の優先度として「優先度３」を特定し、また、ＳＢ９においては、ＳＢ１で選択したタグ情報の優先度として「優先度４」を特定する。
【００５５】
ここでは、例えば、この優先度特定処理を行った場合、図４の各タグ情報については、「＃Ｗｅａｒ」＝「優先度１」、「＃Ｎａｉｌ」＝「優先度１」、「＃Ｉｍｐｏｒｔ」＝「優先度２」、「＃Ｎｅｗ」＝「優先度２」、「＃Ｒｕｎ」＝「優先度３」、「＃Ｄｉｎｎｅｒ」＝「優先度３」、及び「＃Ａｎｉｍａｌ」＝「優先度４」を特定することになる。
【００５６】
図５のＳＡ３において決定部２８２は、タグ情報の出力態様を決定する。具体的には任意であるが、例えば、ＳＡ２の優先度特定処理で特定した優先度に対応する出力態様を決定する。図７は、端末装置のディスプレイの表示例を示す図である。ここでの「出力態様」については、前述のように様々な概念が含まれるが、図７に示すように、ディスプレイ２３における登録させる候補のタグ情報を表示する領域（例えば、「Ａｌｌ  Ｔａｇｓ」と表示されている領域）が限られていることを考慮して、「表示順序」を出力態様として決定する場合を例示して説明する。詳細には、ＳＡ２の優先度特定処理で特定した優先度を取得し、取得した優先度を基準にして、図４のタグ関連情報におけるタグ情報を各優先度のグループに分類し、優先度１のグループに属するタグ情報が最上段（例えば、図７の図面上側）に表示され、上側から下側に向かって、優先度２〜４のグループに属するタグ情報が表示されるように、出力態様を決定する。なお、各グループにおいてタグ情報が複数存在する場合、任意の基準（例えば、アルファ別途順等）でグループ内での優先度を決定し、決定した優先度に従って、優先度が高いものほど上側に表示され、且つ、同じ段では優先度が高いものほど左側に表示されるように、出力対象を決定する。
【００５７】
図５のＳＡ４において制御部２８は、登録させるタグ情報の候補を出力する。具体的には任意であるが、例えば、図４のタグ関連情報のタグ情報を取得し、また、ＳＡ３で決定した出力態様を取得した上で、ディスプレイ２３に、当該取得したタグ情報を取得した出力態様にて、表示して出力する。ここでは、例えば、図７に示すように、「＃Ｗｅａｒ」等のタグ情報を表示する。
【００５８】
図５のＳＡ５において制御部２８は、タグ情報を登録する。具体的には任意であるが、例えば、ユーザが、ＳＡ４にて出力したタグ情報の候補から登録するタグ情報を選択する所定操作（例えば、タップ操作等）をタッチパッド２２を介して行った場合、選択されたタグ情報を受け付けて、ＳＡ１で生成したコンテンツ情報に対して、当該受け付けたタグ情報を対応付けて登録する。
【００５９】
図５のＳＡ６において制御部２８は、コンテンツ情報を登録する。具体的には任意であるが、例えば、ＳＡ１で生成してＳＡ５でタグ情報を登録したコンテンツ情報（例えば、図３に表示する情報の如き情報）を取得し、通信部２１を介してサーバ装置１に送信することにより、コンテンツ情報を登録する。一方、サーバ装置１の制御部１３は、この送信されたコンテンツ情報を受け付けて、受け付けたコンテンツ情報をコンテンツ情報ＤＢ１２２に記録する。なお、この場合、図４のタグ関連情報において、ＳＡ５で登録したタグ情報、及び「自身」も記録することとする。これにて、登録処理を終了する。
【００６０】
このようにして、図３のコンテンツ情報が登録されるので、情報システム１００のユーザが端末装置２を介してサーバ装置１にアクセスした上で、図３のタグ情報を基準にコンテンツを検索したり、あるいは、当該コンテンツをソートしたりすることが可能となる。
【００６１】
（実施の形態の効果）
このように本実施の形態によれば、タグ情報の取得の経緯に関する基準である経緯基準と取得部２８１が取得した経緯に関する情報とに基づいて、タグ情報の出力態様を決定することにより、例えば、様々な取得の経緯を有するタグ情報を出力することができるので、ユーザがタグ情報を自己で生成すること無く選択して利用することができ、タグ情報を登録する手間を軽減することが可能となる。
【００６２】
また、ユーザが過去に登録したタグ情報であるか否かに関する第１基準に基づいて、タグ情報の出力態様を決定することにより、例えば、ユーザによる登録履歴を反映した出力態様にてタグ情報を出力することができるので、タグ情報の登録に関する利便性を向上させることが可能となる。特に、例えば、ユーザが過去に登録したタグ情報を出力することができるので、ユーザが使い慣れて親和性が比較的高いタグ情報を出力することが可能となる。
【００６３】
また、他のユーザのコンテンツであってユーザが過去に興味を抱いた他のユーザのコンテンツに対応付けられたタグ情報であるか否かに関する第２基準に基づいて、タグ情報の出力態様を決定することにより、例えば、ユーザの興味を反映した出力態様にてタグ情報を出力することができるので、タグ情報の登録に関する利便性を向上させることが可能となる。特に、例えば、ユーザが興味を抱いたコンテンツのタグ情報を出力することができるので、ユーザの興味に則したタグ情報を出力することが可能となる。
【００６４】
また、ユーザが取得したコンテンツに対応付けられたタグ情報であるか否かに関する第３基準に基づいて、タグ情報の出力態様を決定することにより、例えば、コンテンツの取得履歴を反映した出力態様にてタグ情報を出力することができるので、タグ情報の登録に関する利便性を向上させることが可能となる。特に、例えば、ユーザが過去に取得したコンテンツのタグ情報を出力することができるので、コンテンツの検索履歴に関連するタグ情報を出力することが可能となる。
【００６５】
また、タグ情報の優先度を特定し、当該優先度に対応する出力態様を決定することにより、例えば、ユーザに対して有用なタグ情報を当該ユーザに迅速に把握させることができるので、タグ情報の登録に関する利便性を向上させることが可能となる。
【００６６】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６８】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、端末装置２の機能の少なくとも一部をサーバ装置１に設けた上で、端末装置２とサーバ装置１とが相互に通信を行うことにより、実施の形態と同様な処理を行うように構成してもよい。また、逆に、サーバ装置１の機能の少なくとも一部を端末装置２に設けてもよい。また、サーバ装置１又は端末装置２の少なくとも一部の機能を車載用のナビゲーションシステムに組み込んでもよい。
【００６９】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７０】
（優先度特定処理の対象となるタグ情報について）
また、上記実施の形態では、図４のタグ関連情報における全てのタグ情報について図６の優先度特定処理を行い、図５のＳＡ４にて候補として出力する場合を例示したが、これに限らない。例えば、ディスプレイ２３の表示領域に制限があり、スクロール表示させるタグ情報の個数が多数存在する場合、煩雑となる可能性があることを考慮して、優先度特定処理及びＳＡ４にて対象となるタグ情報の個数を制限してもよい。この場合、任意の基準で制限してもよく、例えば、図４のタグ関連情報として記録された日時である記録日時を基準に、直近から所定個数（例えば、２０個〜３０個等）に制限してもよい。
【００７１】
（処理の省略又は変更について）
また、上記実施の形態において、図５又は図６の任意の処理を省略したり変更したりしてもよく、例えば、図６において優先度を特定することなく、各判定結果に応じた出力態様を決定するように構成してもよい。
【００７２】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００７３】
実施の形態の１つの側面１に係る決定システムは、ユーザのコンテンツに登録するタグ情報の候補に関する出力態様を決定する決定システムであって、タグ情報を格納する格納手段と、前記格納手段が格納しているタグ情報の取得の経緯に関する情報を取得する取得手段と、タグ情報の取得の経緯に関する基準である経緯基準と、前記取得手段が取得した経緯に関する情報とに基づいて、前記格納手段が格納しているタグ情報の前記出力態様を決定する決定手段と、を備える。
【００７４】
上記側面１に係る決定システムによれば、タグ情報の取得の経緯に関する基準である経緯基準と取得手段が取得した経緯に関する情報とに基づいて、タグ情報の出力態様を決定することにより、例えば、様々な取得の経緯を有するタグ情報を出力することができるので、ユーザがタグ情報を自己で生成すること無く選択して利用することができ、タグ情報を登録する手間を軽減することが可能となる。
【００７５】
実施の形態の他の側面２に係る決定システムは、上記側面１に係る決定システムにおいて、前記経緯基準は、前記ユーザが過去に登録したタグ情報であるか否かに関する第１基準を含んでおり、前記決定手段は、前記第１基準と、前記取得手段が取得した経緯に関する情報とに基づいて、前記格納手段が格納しているタグ情報の前記出力態様を決定する。
【００７６】
上記側面２に係る決定システムによれば、ユーザが過去に登録したタグ情報であるか否かに関する第１基準に基づいて、タグ情報の出力態様を決定することにより、例えば、ユーザによる登録履歴を反映した出力態様にてタグ情報を出力することができるので、タグ情報の登録に関する利便性を向上させることが可能となる。特に、例えば、ユーザが過去に登録したタグ情報を出力することができるので、ユーザが使い慣れて親和性が比較的高いタグ情報を出力することが可能となる。
【００７７】
実施の形態の他の側面３に係る決定システムは、上記側面１又は２に係る決定システムにおいて、前記経緯基準は、他のユーザのコンテンツであって前記ユーザが過去に興味を抱いた前記他のユーザのコンテンツに対応付けられたタグ情報であるか否かに関する第２基準を含んでおり、前記決定手段は、前記第２基準と、前記取得手段が取得した経緯に関する情報とに基づいて、前記格納手段が格納しているタグ情報の前記出力態様を決定する。
【００７８】
上記側面３に係る決定システムによれば、他のユーザのコンテンツであってユーザが過去に興味を抱いた他のユーザのコンテンツに対応付けられたタグ情報であるか否かに関する第２基準に基づいて、タグ情報の出力態様を決定することにより、例えば、ユーザの興味を反映した出力態様にてタグ情報を出力することができるので、タグ情報の登録に関する利便性を向上させることが可能となる。特に、例えば、ユーザが興味を抱いたコンテンツのタグ情報を出力することができるので、ユーザの興味に則したタグ情報を出力することが可能となる。
【００７９】
実施の形態の他の側面４に係る決定システムは、上記側面１から３の何れかに係る決定システムにおいて、前記経緯基準は、前記ユーザが取得したコンテンツに対応付けられたタグ情報であるか否かに関する第３基準を含んでおり、前記決定手段は、前記第３基準と、前記取得手段が取得した経緯に関する情報とに基づいて、前記格納手段が格納しているタグ情報の前記出力態様を決定する。
【００８０】
上記側面４に係る決定システムによれば、ユーザが取得したコンテンツに対応付けられたタグ情報であるか否かに関する第３基準に基づいて、タグ情報の出力態様を決定することにより、例えば、コンテンツの取得履歴を反映した出力態様にてタグ情報を出力することができるので、タグ情報の登録に関する利便性を向上させることが可能となる。特に、例えば、ユーザが過去に取得したコンテンツのタグ情報を出力することができるので、コンテンツの検索履歴に関連するタグ情報を出力することが可能となる。
【００８１】
実施の形態の他の側面５に係る決定システムは、上記側面１から４の何れかに係る決定システムにおいて、前記決定手段は、前記経緯基準と、前記取得手段が取得した経緯に関する情報とに基づいて、前記格納手段が格納しているタグ情報の優先度を特定し、当該優先度に対応する前記出力態様を決定する。
【００８２】
上記側面５に係る決定システムによれば、タグ情報の優先度を特定し、当該優先度に対応する出力態様を決定することにより、例えば、ユーザに対して有用なタグ情報を当該ユーザに迅速に把握させることができるので、タグ情報の登録に関する利便性を向上させることが可能となる。
【００８３】
実施の形態の１つの側面６に係る決定プログラムは、ユーザのコンテンツに登録するタグ情報の候補に関する出力態様を決定する決定プログラムであって、コンピュータを、タグ情報を格納する格納手段が格納しているタグ情報の取得の経緯に関する情報を取得する取得手段と、タグ情報の取得の経緯に関する基準である経緯基準と、前記取得手段が取得した経緯に関する情報とに基づいて、前記格納手段が格納しているタグ情報の前記出力態様を決定する決定手段と、として機能させる。
【００８４】
上記側面６に係る決定プログラムによれば、タグ情報の取得の経緯に関する基準である経緯基準と取得手段が取得した経緯に関する情報とに基づいて、タグ情報の出力態様を決定することにより、例えば、様々な取得の経緯を有するタグ情報を出力することができるので、ユーザがタグ情報を自己で生成すること無く選択して利用することができ、タグ情報を登録する手間を軽減することが可能となる。
【符号の説明】
【００８５】
１  サーバ装置
２  端末装置
１１    通信部
１２  データ記録部
１３  制御部
２１  通信部
２２  タッチパッド
２３  ディスプレイ
２４  位置検出部
２５  カメラ
２６  スピーカ
２７  データ記録部
２８  制御部
１００  情報システム
１２１  地図情報ＤＢ
１２２  コンテンツ情報ＤＢ
２０１  端末装置
２０２  端末装置
２７１  地図情報ＤＢ
２７２  タグ関連情報ＤＢ
２８１  取得部
２８２  決定部
【図１】
2020017055.tif 000003
【図２】
2020017055.tif 000004
【図３】
2020017055.tif 000005
【図４】
2020017055.tif 000006
【図５】
2020017055.tif 000007
【図６】
2020017055.tif 000008
【図７】
2020017055.tif 000009